(57)【要約】【課題】耕作農家向けの情報提供および農家同士の情報交換を容易にタイムリーに実現させ、葉たばこの生産技術および生産性を向上させる情報提供システムを提供する。【解決手段】耕作農家の会員ユーザ３が操作するＰＣ５と、ＰＣ５とインターネット９を介して接続され、ＰＣ５からアクセス可能なコミュニティサイトを形成し管理する管理サーバ１５と、耕作に関するコンテンツおよび情報を蓄積するＮＡＳ１７と、を備え、管理サーバ１５は、コミュニティサイトを介してＰＣ５から提供される耕作に関するコンテンツおよび情報を受信し、ＮＡＳ１７に蓄積する蓄積部と、コミュニティサイトを介してＰＣ５からの要求を受け付け、この要求に応じて、ＮＡＳ１７にアクセスし、耕作に関するコンテンツおよび情報を読み出し、ＰＣ５にコミュニティサイトを介して提供する情報提供部と、を含む。【選択図】図１
2008084256.tif 000002
【特許請求の範囲】
【請求項１】
複数の耕作農家を対象とした情報提供システムであって、
前記耕作農家の会員ユーザが操作する端末装置と、
前記端末装置とネットワークを介して接続され、前記会員ユーザの前記端末装置からアクセス可能なコミュニティサイトを形成し管理するコミュニティ管理サーバと、
前記端末装置および前記コミュニティ管理サーバにネットワークを介して接続され、耕作に関するコンテンツおよび情報を蓄積するファイルサーバと、を備え、
前記コミュニティ管理サーバは、
前記コミュニティサイトを介して前記会員ユーザの前記端末装置から提供される前記耕作に関するコンテンツおよび情報を受信し、前記ファイルサーバに蓄積する蓄積部と、
前記コミュニティサイトを介して受け付けた前記端末装置からの要求に応じて、前記ファイルサーバにアクセスし、前記耕作に関するコンテンツおよび情報を読み出し、前記端末装置に前記コミュニティサイトを介して提供する情報提供部と、
を含む情報提供システム。
【請求項２】
請求項１に記載の情報提供システムにおいて、
前記会員ユーザ毎に公開可能なウェブログサイトを作成および管理するウェブログサイト管理サーバをさらに備え、
前記会員ユーザの前記端末装置は、
記事を編集する編集部と、
前記ウェブログサイト管理サーバに前記ネットワークを介してアクセスし、前記ウェブロブサイトに、前記記事を投稿する投稿部と、
前記ウェブログサイトを閲覧する閲覧部と、
前記記事にコメントを送信するコメント送信部と、
他の記事へのトラックバックを形成するトラックバック部と、を含む情報提供システム。
【請求項３】
請求項２に記載の情報提供システムにおいて、
前記ウェブログサイト管理サーバは、
前記端末装置から投稿された前記記事を、当該記事の投稿日時に対応付けて前記会員ユーザ毎に記憶する記事記憶部と、
前記会員ユーザ毎に、前記記事の前記投稿日時に対応する日付に前記記事のタイトルを提示する所定期間のカレンダーを作成するカレンダー作成部と、を含み、
前記端末装置は、
前記カレンダーを閲覧する会員ユーザの指定を受け付ける閲覧指示受付部と、
前記ウェブログサイト管理サーバにアクセスし、前記閲覧指示受付部が受け付けた前記会員ユーザの前記カレンダーを閲覧するカレンダー閲覧部と、を含む情報提供システム。
【請求項４】
請求項２または３に記載の情報提供システムにおいて、
前記ウェブログサイトに投稿される前記記事は、耕作の作業日誌を含み、
前記ウェブログサイト管理サーバは、
前記会員ユーザの前記端末装置から前記記事に耕作の作業項目を関連付ける指示を受け付ける登録項目受付部と、
前記登録項目受付部が受け付けた前記作業項目を前記記事に関連付けて登録する登録部と、
前記会員ユーザの前記端末装置から前記記事を絞り込む作業項目を受け付ける絞込項目受付部と、
前記絞込項目受付部が受け付けた前記作業項目に関連付けられた記事を絞り込み、前記会員ユーザの前記端末装置で閲覧可能に提供する提供部と、を含む情報提供システム。
【請求項５】
請求項４に記載の情報提供システムにおいて、
前記ウェブログサイト管理サーバは、
前記絞込項目受付部が受け付けた前記作業項目に関連付けられた記事を絞り込み、前記カレンダー作成部に前記カレンダーを作成させる制御部を含む情報提供システム。
【請求項６】
請求項４または５に記載の情報提供システムにおいて、
前記ウェブログサイト管理サーバは、
複数年に亘って記憶された前記記事を、異なる年の同じ日付毎に比較可能に提示する複数年カレンダーを作成する複数年誌作成部を含み、
前記端末装置は、
前記複数年カレンダーを閲覧する会員ユーザの指定を受け付ける年誌閲覧指示受付部と、
前記ウェブログサイト管理サーバにアクセスし、前記年誌閲覧指示受付部が受け付けた前記会員ユーザの前記複数年カレンダーを閲覧する複数年カレンダー閲覧部と、を含む情報提供システム。
【請求項７】
請求項１乃至６いずれかに記載の情報提供システムにおいて、
前記ファイルサーバに前記ネットワークを介して接続され、前記端末装置からの要求に従って、前記ファイルサーバに前記ネットワークを介してアクセスし、前記耕作に関するコンテンツおよび情報を検索する検索部と、前記端末装置にダウンロードするダウンロード部とを含む情報管理サーバをさらに備える情報提供システム。
【請求項８】
請求項１乃至７いずれかに記載の情報提供システムにおいて、
前記耕作に関するコンテンツおよび情報は、病害虫図鑑などの病害虫診断防除情報、農薬使用基準情報、葉たばこ研究に関する文献、葉たばこ技術情報文献、および前記会員ユーザから提供された情報を含む情報提供システム。
【請求項９】
請求項２乃至８いずれかに記載の情報提供システムにおいて、
前記端末装置は、当該システムの管理者および耕作の専門家が操作する管理用端末装置をさらに含み、
前記ウェブログサイト管理サーバは、前記管理用端末装置にネットワークを介して接続され、前記管理者および前記専門家が公開可能なウェブログサイトを作成および管理し、
前記管理用端末装置は、
前記ウェブログサイトに、耕作に関する特集記事、ニュース、お知らせ、外部リンクサイト情報などを含む情報を編集する管理用編集部を含む情報提供システム。
【請求項１０】
請求項２乃至９いずれかに記載の情報提供システムにおいて、
前記ウェブログサイト管理サーバは、
前記会員ユーザのプロフィールを前記端末装置から受け付け、プロフィール記憶部に登録するプロフィール受付部と、
前記会員ユーザから他の会員ユーザの検索条件を受け付け、検索条件に合う会員ユーザを検索する検索部と、
前記検索された前記会員ユーザのプロフィールを公開するプロフィール公開部と、
を含む情報提供システム。
【請求項１１】
請求項１乃至９いずれかに記載の情報提供システムにおいて、
前記複数の耕作農家は、葉たばこ、穀類の耕作農家である情報提供システム。
【発明の詳細な説明】
【技術分野】
【０００１】
本発明は、情報提供システムに関し、特に、耕作農家向け情報提供システムに関する。
【背景技術】
【０００２】
葉たばこ生産やたばこ事業の担い手である葉たばこ耕作農家は、日本全国に数多く点在する。各農家が所属する組合も日本全国に点在している。組合または農家単独で、ウェブサイトを構築し公開しているところもある。
【０００３】
インターネットなどのコンピュータネットワーク上においてコミュニティ系のサービスを提供するコミュニティサービス提供システムが特許文献１に記載されている。
【特許文献１】特開２００３−５８４８４号公報
【発明の開示】
【発明が解決しようとする課題】
【０００４】
ところで、近年、コミュニティ型のウェブサイトであるソーシャルネットワーキングサイト（ＳＮＳ）が登場している。ＳＮＳでは、自己プロフィールの公開、アドレス帳、カレンダーやスケジュール機能、検索、会員のみが閲覧できるウェブログ、会員のみが参加できる掲示板やチャットなどの機能が提供される。
【０００５】
近年、農業技術の進歩はめざましく、それらの専門知識や経験を迅速に情報交換できる場が切望される。しかしながら、現状は、個々の農家を結びつけ、情報交換を活性化させるような仕組みはなく、個々の経験や知識に基づいて、試行錯誤しながら耕作を行っている。
【０００６】
本発明は上記事情に鑑みてなされたものであり、その目的とするところは、耕作農家向けの情報提供および農家同士の情報交換を容易にタイムリーに実現させ、耕作物の生産技術および生産性を向上させる情報提供システムを提供することにある。
【課題を解決するための手段】
【０００７】
本発明によれば、複数の耕作農家を対象とした情報提供システムであって、
前記耕作農家の会員ユーザが操作する端末装置と、
前記端末装置とネットワークを介して接続され、前記会員ユーザの前記端末装置からアクセス可能なコミュニティサイトを形成し管理するコミュニティ管理サーバと、
前記端末装置および前記コミュニティ管理サーバにネットワークを介して接続され、耕作に関するコンテンツおよび情報を蓄積するファイルサーバと、を備え、
前記コミュニティ管理サーバは、
前記コミュニティサイトを介して前記会員ユーザの前記端末装置から提供される前記耕作に関するコンテンツおよび情報を受信し、前記ファイルサーバに蓄積する蓄積部と、
前記コミュニティサイトを介して受け付けた前記端末装置からの要求に応じて、前記ファイルサーバにアクセスし、前記耕作に関するコンテンツおよび情報を読み出し、前記端末装置に前記コミュニティサイトを介して提供する情報提供部と、
を含む情報提供システムが提供される。
【０００８】
ここで、耕作農家の会員ユーザには、耕作組合および担い手農家個人を含むことができる。
【０００９】
この発明によれば、コミュニティサイトを介して、全国に点在する多数の耕作農家の会員ユーザから発信される各種の情報を蓄積するとともに、コミュニティサイトを拠点として全国に点在する多数の耕作農家の会員ユーザに、蓄積された情報を瞬時に提供でき、会員ユーザ間で共有することが可能となり、会員ユーザ間の連携および情報交換を活性化でき、耕作物の生産技術および生産性を向上させることができる。
【００１０】
上記情報提供システムにおいて、前記会員ユーザ毎に公開可能なウェブログサイトを作成および管理するウェブログサイト管理サーバをさらに備え、前記会員ユーザの前記端末装置は、記事を編集する編集部と、前記ウェブログサイト管理サーバに前記ネットワークを介してアクセスし、前記ウェブロブサイトに、前記記事を投稿する投稿部と、前記ウェブログサイトを閲覧する閲覧部と、前記記事にコメントを送信するコメント送信部と、他の記事へのトラックバックを形成するトラックバック部と、を含むことができる。
【００１１】
ここで、端末装置は、携帯電話機などの携帯端末を含むことができ、ウェブログサイト管理サーバは、携帯端末から投稿および閲覧可能なブログ、所謂、モブログを作成および管理するサーバを含むことができる。
【００１２】
この構成によれば、会員ユーザはウェブログサイトを形成でき、他の会員ユーザとコメント交換などにより情報交換および交流を図ることができ、耕作農家の活性化を図ることができる。
【００１３】
上記情報提供システムにおいて、前記ウェブログサイト管理サーバは、前記端末装置から投稿された前記記事を、当該記事の投稿日時に対応付けて前記会員ユーザ毎に記憶する記事記憶部と、前記会員ユーザ毎に、前記記事の前記投稿日時に対応する日付に前記記事のタイトルを提示する所定期間のカレンダーを作成するカレンダー作成部と、を含むことができ、前記端末装置は、前記カレンダーを閲覧する会員ユーザの指定を受け付ける閲覧指示受付部と、前記ウェブログサイト管理サーバにアクセスし、前記閲覧指示受付部が受け付けた前記会員ユーザの前記カレンダーを閲覧するカレンダー閲覧部と、を含むことができる。
【００１４】
この構成によれば、作業日誌として記録された記事をカレンダー形式で一覧表示させ、さらに作業項目を登録できる構成としたので、特定の作業を実施した日が探し易くなる。また、カレンダーをブラウザの印刷機能を用いて印刷することにより、そのままカレンダーとして予定やメモを記入するのに用いることもでき、利便性が良い。
【００１５】
上記情報提供システムにおいて、前記ウェブログサイトに投稿される前記記事は、耕作の作業日誌を含むことができ、前記ウェブログサイト管理サーバは、前記会員ユーザの前記端末装置から前記記事に耕作の作業項目を関連付ける指示を受け付ける登録項目受付部と、前記登録項目受付部が受け付けた前記作業項目を前記記事に関連付けて登録する登録部と、前記会員ユーザの前記端末装置から前記記事を絞り込む作業項目を受け付ける絞込項目受付部と、前記絞込項目受付部が受け付けた前記作業項目に関連付けられた記事を絞り込み、前記会員ユーザの前記端末装置で閲覧可能に提供する提供部と、を含むことができる。
【００１６】
この構成によれば、記事毎に作業項目を登録することにより、記事を閲覧する場合に、作業項目別に比較して記事を閲覧することができ、特定の作業を実施した日の記事を探しやすくなる。また、作業項目に着目した記事の管理を行うことができ、作業項目と作業日の関係や、作業項目と作業地域の関係など、様々な解析に用いることが可能となる。耕作の作業日誌としての活用の幅が広がる。
【００１７】
上記情報提供システムにおいて、前記ウェブログサイト管理サーバは、前記絞込項目受付部が受け付けた前記作業項目に関連付けられた記事を絞り込み、前記カレンダー作成部に前記カレンダーを作成させる制御部を含むことができる。
【００１８】
上記情報提供システムにおいて、前記ウェブログサイト管理サーバは、前記複数年に亘って記憶された前記記事を、異なる年の同じ日付毎に比較可能に提示する複数年カレンダーを作成する複数年誌作成部を含むことができ、前記端末装置は、前記複数年カレンダーを閲覧する会員ユーザの指定を受け付ける年誌閲覧指示受付部と、前記ウェブログサイト管理サーバにアクセスし、前記年誌閲覧指示受付部が受け付けた前記会員ユーザの前記複数年カレンダーを閲覧する複数年カレンダー閲覧部と、を含むことができる。
【００１９】
この構成によれば、複数年カレンダーにより、例年の耕作の作業日程を確認することが可能となり、過去を振り返って参考にすることが可能となる。
【００２０】
また、上記情報提供システムにおいて、ウェブログサイト管理サーバは、地域ごとの天気情報を取得する天気情報取得部と、取得した天気情報を記憶する天気情報記憶部と、を含むことができ、カレンダー作成部および複数年誌作成部は、会員ユーザの地域に該当する天気情報を読み出し、前記カレンダーの該当する日付に天気情報を記録する天気情報記録部をさらに含むことができる。天気情報は、天気または天気予報、予想または実際の最高気温および予想または実際の最低気温などを含むことができる。カレンダーに表示させることにより、作業日程に重要な要素である天気情報も一目瞭然となり、使い勝手が向上する。
【００２１】
上記情報提供システムにおいて、前記ファイルサーバに前記ネットワークを介して接続され、前記端末装置からの要求に従って、前記ファイルサーバに前記ネットワークを介してアクセスし、前記耕作に関するコンテンツおよび情報を検索する検索部と、前記端末装置にダウンロードするダウンロード部とを含む情報管理サーバをさらに備えることができる。
【００２２】
この構成によれば、ファイルサーバに蓄積されている最新の耕作に関するコンテンツおよび情報を会員ユーザに随時提供することができる。
【００２３】
上記情報提供システムにおいて、前記耕作に関するコンテンツおよび情報は、病害虫図鑑などの病害虫診断防除情報、農薬使用基準情報、耕作物研究に関する文献、耕作物技術情報文献、および前記会員ユーザから提供された情報を含むことができる。
【００２４】
この構成によれば、耕作に関する情報を複数の会員ユーザ間で共有することができ、各会員ユーザに耕作物の生産技術を伝達でき、耕作物の生産性を向上させることができる。
【００２５】
上記情報提供システムにおいて、前記端末装置は、当該システムの管理者および耕作の専門家が操作する管理用端末装置をさらに含むことができ、前記ウェブログサイト管理サーバは、前記管理用端末装置にネットワークを介して接続され、前記管理者および前記専門家が公開可能なウェブログサイトを作成および管理し、前記管理用端末装置は、前記ウェブログサイトに、耕作に関する特集記事、ニュース、お知らせ、外部リンクサイト情報などを含む情報を編集する管理用編集部を含むことができる。
【００２６】
この構成によれば、耕作に関する専門家などの最先端の技術をいち早く複数の会員ユーザに提供することができ、耕作物の生産技術および生産性を向上させることができる。
【００２７】
上記情報提供システムにおいて、前記ウェブログサイト管理サーバは、前記会員ユーザのプロフィールを前記端末装置から受け付け、プロフィール記憶部に登録するプロフィール受付部と、前記会員ユーザから他の会員ユーザの検索条件を受け付け、検索条件に合う会員ユーザを検索する検索部と、前記検索された前記会員ユーザのプロフィールを公開するプロフィール公開部と、を含むことができる。
【００２８】
ここで、検索条件としては、たとえば、会員ユーザのニックネーム、所属組合、生産しているたばこの種類、耕作物を生産している契約面積、会員ユーザのプロフィール、ブログタイトルや記事に含まれる任意のキーワードなどが含まれる。
【００２９】
この構成によれば、会員ユーザ同士の交流を盛んにすることができ、全国に多数点在している耕作農家間の交流および耕作農家の活性化を図ることができる。上記情報提供システムにおいて、
前記複数の耕作農家は、葉たばこ、穀類の耕作農家であってもよい。
【００３０】
なお、以上の構成要素の任意の組合せ、本発明の表現を方法、装置、システム、記録媒体、コンピュータプログラムなどの間で変換したものもまた、本発明の態様として有効である。
【発明の効果】
【００３１】
本発明によれば、耕作農家向けの情報提供および農家同士の情報交換を容易にタイムリーに実現させ、耕作物の生産技術および生産性を向上させる情報提供システムが提供される。
【発明を実施するための最良の形態】
【００３２】
以下、本発明の実施の形態について、図面を用いて説明する。尚、すべての図面において、同様な構成要素には同様の符号を付し、適宜説明を省略する。
【００３３】
図１は、本発明の実施の形態に係る情報提供システム１の構成を示す概略ブロック図である。本発明の実施の形態に係る情報提供システム１は、複数の耕作農家を対象とした情報提供システム１であって、耕作農家の会員ユーザ３が操作する端末装置（パーソナルコンピュータ（ＰＣ：Personal Computer）５および携帯端末７）と、端末装置（ＰＣ５および携帯端末７）とネットワーク（インターネット９）を介して接続され、会員ユーザ３の端末装置（ＰＣ５および携帯端末７）からアクセス可能なコミュニティサイトを形成し管理するコミュニティ管理サーバ（管理サーバ１５）と、端末装置（ＰＣ５および携帯端末７）およびコミュニティ管理サーバ（管理サーバ１５）にネットワーク（ネットワーク１３およびインターネット９）を介して接続され、耕作に関するコンテンツおよび情報を蓄積するファイルサーバ（ＮＡＳ（Network Attached Storage）１７）と、を備え、コミュニティ管理サーバ（管理サーバ１５）は、コミュニティサイトを介して会員ユーザ３の端末装置（ＰＣ５および携帯端末７）から提供される耕作に関するコンテンツおよび情報を受信し、ファイルサーバ（ＮＡＳ１７）に蓄積する蓄積部と、コミュニティサイトを介して端末装置（ＰＣ５および携帯端末７）からの要求を受け付け、この要求に応じて、ファイルサーバ（ＮＡＳ１７）にアクセスし、耕作に関するコンテンツおよび情報を読み出し、端末装置（ＰＣ５および携帯端末７）にコミュニティサイトを介して提供する情報提供部と、を含む。
【００３４】
図１に示すように、本実施形態の情報提供システム１は、複数の葉たばこ耕作農家を対象として、予め会員登録した会員ユーザ３に会員ユーザＩＤおよびパスワードを発行し、ユーザ認証を行うことでシステムの利用が可能となる。すなわち、情報提供システム１は予め登録された会員ユーザ３にのみサービスが提供される、所謂、ソーシャルネットワークサービス（ＳＮＳ：Social Network Service）を提供する。なお、以下に示す各図において、本発明の本質に関わらない部分の構成については省略してある。
【００３５】
情報提供システム１は、各会員ユーザ３が利用するインターネット９に接続可能なＰＣ５または携帯端末７と、互いにネットワーク１３を介して接続される管理サーバ１５と、ＮＡＳ１７と、ブログサーバ１９と、モブログサーバ２１と、を含む。ネットワーク１３上の各装置はファイアウォール１１を介してインターネット９に接続することができる。ファイアウォール１１を介してインターネット９に接続することで、インターネット９を介した外部からのネットワーク１３への不正なアクセスを防止することができる。
【００３６】
さらに、情報提供システム１は、スタッフ２３が利用するインターネット９に接続可能なＰＣ２５または携帯端末２７と、専門家３３が利用するインターネット９に接続可能なＰＣ３５または携帯端末３７と、を含む。
【００３７】
ＰＣ５、ＰＣ２５、およびＰＣ３５は、たとえば、パーソナルコンピュータ、ワークステーションなどであり、プログラムを記憶するメモリ（不図示）と、プログラムを実行し、所定の機能を実現するとともに装置全体を制御するＣＰＵ（不図示）と、を含む。本実施形態において、ＰＣ５、ＰＣ２５、およびＰＣ３５は、所定のブラウザが予めインストールされており、インターネット９を介して管理サーバ１５およびブログサーバ１９にアクセスすることができる。
【００３８】
また、携帯端末７、携帯端末２７、および携帯端末３７は、たとえば、携帯電話機、ＰＤＡなどであり、プログラムを記憶するメモリ（不図示）と、プログラムを実行し、所定の機能を実現するとともに装置全体を制御するＣＰＵ（不図示）と、を含む。携帯端末７、携帯端末２７、および携帯端末３７は、ブラウザ機能を有し、インターネット９に接続し、管理サーバ１５およびモブログサーバ２１にアクセスすることができる。
【００３９】
管理サーバ１５は、ＰＣ５、携帯端末７、ＰＣ２５、携帯端末２７、ＰＣ３５、または携帯端末３７とインターネット９を介して接続され、会員ユーザ３、スタッフ２３、または専門家３３からアクセス可能な「葉たばこコミュニティサイト」を形成し管理する。
【００４０】
ＮＡＳ１７は、ＰＣ５などに提供可能な葉たばこ耕作に関するコンテンツおよび情報を蓄積するファイルサーバである。本実施形態では、ＮＡＳを用いる構成としたが、これに限定されない。ＮＡＳ１７に蓄積されるコンテンツおよび情報とは、たとえば、葉たばこの病害虫図鑑などの病害虫診断防除情報、農薬使用基準情報、葉たばこ研究に関する文献、葉たばこ技術情報文献、および会員ユーザ３から提供された情報を含むことができる。ウェブページを記載したＨＴＭＬファイル、ＰＤＦファイル、ワードプロセッサ文書ファイル、テキストファイル、表計算ソフトファイル、画像ファイル、動画ファイル、音声ファイル、描画ファイル、データベースなど様々なファイル形式で格納することができる。
【００４１】
ブログサーバ１９は、会員ユーザ３毎に公開可能なウェブログサイトを作成および管理する。ブログサーバ１９は、さらに、スタッフ２３および専門家３３が公開可能なウェブログサイトを作成および管理する。モブログサーバ２１は、会員ユーザ３毎に公開可能なモブログサイトを作成および管理する。モブログとは、携帯端末７から記事を投稿および閲覧することが可能なウェブログである。カメラ付き携帯端末７を用いれば、携帯端末７で撮影した画像をそのまま記事アップロードして投稿することも簡単にできる。ウェブログサイトおよびモブログサイトの詳細については、後述する。
【００４２】
図２は、本実施形態の情報提供システム１が提供する「葉たばこコミュニティサイト」の概要を説明するための図である。本実施形態の葉たばこコミュニティサイト４０は、ポータルページ４２を含む。ポータルページ４２は、図３に示すように、メニュー１０１と、中央情報発信ページ１０３と、地方情報発信ページ１０７と、お知らせ１０９と、オススメページ１１１と、記事検索１１３と、新着記事１１９と、お気に入りランキング１２７と、アクセスランキング１２９と、耕作のための便利情報１３１と、文献データベース１３７と、管理メニュー１５１と、を含む。
【００４３】
メニュー１０１は、各種リンクを含み、図３の例では、トップページへのリンク、サイトの説明ページへのリンク、使い方ページへのリンク、仲間検索ページへのリンク、お問い合わせページへのリンク、およびサイトマップページへのリンクなどを含む。
【００４４】
中央情報発信ページ１０３は、各種中央情報やリンク、関連ページリンク１０５のバナー１０６を含む。地方情報発信ページ１０７は、地方毎の情報発信ページへのリンクのバナー１０８を含む。お知らせ１０９は、葉たばこコミュニティサイト４０の運営スタッフからのお知らせ情報などが新着順に表示され、お知らせ履歴表示１１０にて今までの情報も表示させることができる。
【００４５】
オススメページ１１１は、お勧めページの情報やリンクを含む。記事検索１１３は、検索キー入力欄１１５および検索ボタン１１７を含み、検索キー入力欄１１５に入力された検索キーに基づいて、検索ボタン１１７の押下に呼応して、ＮＡＳ１７に蓄積されているコンテンツや情報および管理サーバ１５が管理している情報、ブログサーバ１９およびモブログサーバ２１内の記事やコメントを検索し、その結果を会員ユーザ３に提供することができる。詳細については、後述する。
【００４６】
新着記事１１９は、新着記事の一覧であり、記事の投稿時間１２１、記事タイトル１２３、およびブログタイトルおよびユーザ名１２５が含まれる。お気に入りランキング１２７は、会員ユーザ３がマイページにてお気に入り登録したブログのランキングであり、お気に入りランキング続き表示１２８で、４位以下のランキングを表示させることもできる。アクセスランキング１２９は、記事へのアクセス数のランキングであり、アクセスランキング続き表示１３０で、４位以下のランキングを表示させることもできる。
【００４７】
耕作のための便利情報１３１は、葉たばこ耕作に有効な情報ページへの各種リンク、たとえば、農薬使用基準リンク１３３および図鑑リンク１３５を含む。文献データベース１３７は、葉たばこに関する様々な文献、コンテンツ、および情報へのリンク、たとえば、たばこ新聞記事データベース１３９および葉たばこ研究データベース１４１を含む。
【００４８】
管理メニュー１５１は、葉たばこコミュニティサイト４０の管理メニューであり、現在時刻およびログイン中のユーザ名を表示するとともに、記事編集ボタン１５３、マイページボタン１５５、設定ボタン１５７、およびログアウトボタン１５９を含む。
【００４９】
記事編集ボタン１５３は、記事の編集ページへのリンクボタンである。会員ユーザ３は編集ページで記事を編集し、画像やリンクを指定し、公開用に投稿することができる。あるいは作成した記事は、非公開の下書き記事として保存することもできる。マイページボタン１５５は、会員ユーザ３のブログを閲覧できるマイページへのリンクボタンである。マイページについては、後述する。設定ボタン１５７は、マイページの各種設定や会員ユーザ３のユーザ情報を編集するための設定ページへのリンクボタンである。設定ページでは、たとえば、マイページのスキンの選択や、サイドバーの設定、お気に入り登録、会員ユーザ３のニックネーム、画像、ブログタイトル、紹介文などのプロフィールを編集することができる。ログアウトボタン１５９は、ログイン中の会員ユーザ３が葉たばこコミュニティサイト４０からのログアウト指示をするためのボタンである。
【００５０】
図２に戻り、本実施形態の情報提供システム１において、会員ユーザ３は、ＰＣ５または携帯端末７のブラウザを用いて葉たばこコミュニティサイト４０にアクセスし、ＰＣ５または携帯端末７の表示部にポータルページ４２を画面表示させることができる。
【００５１】
また、スタッフ２３は、ＰＣ２５または携帯端末２７のブラウザを用いて葉たばこコミュニティサイト４０にアクセスし、ＰＣ２５または携帯端末２７の表示部にポータルページ４２を画面表示させることができる。さらに、専門家３３は、ＰＣ３５または携帯端末３７のブラウザを用いて葉たばこコミュニティサイト４０にアクセスし、ＰＣ３５または携帯端末３７の表示部にポータルページ４２を画面表示させることができる。会員ユーザ３は、会員ブログ５０に記事を投稿し（Ｓ１）、会員ブログ５０は、葉たばこコミュニティサイト４０に掲載される（Ｓ３）。同様に、スタッフ２３は、スタッフブログ５２に記事を投稿し（Ｓ５）、専門家３３は、専門家ブログ５４に記事を投稿し（Ｓ７）、スタッフブログ５２および専門家ブログ５４は、葉たばこコミュニティサイト４０に掲載される（Ｓ９およびＳ１１）。
【００５２】
会員ブログ５０、スタッフブログ５２、および専門家ブログ５４に掲載された記事は、ポータルページ４２を入り口として会員ユーザ３、スタッフ２３、および専門家３３のＰＣ５、携帯端末７、ＰＣ２５、携帯端末２７、ＰＣ３５、および携帯端末３７から閲覧でき、さらにコメントを送信することができる（Ｓ１３およびＳ１５）。また、関連する記事を作成し、所謂トラックバックを指定する機能も有する。
【００５３】
また、会員ユーザ３は、葉たばこコミュニティサイト４０に情報を発信することができる（Ｓ１７）。会員ユーザ３から発信された情報やデータベースに登録されている各種コンテンツや情報は、ポータルページ４２上に新着情報やリンクとして表示して他の会員ユーザ３に通知され、通知されたリンクを選択したり、あるいは、情報提供システム１のＮＡＳ１７（図１）に登録し、ポータルページ４２から検索したりすることができる。このようにして、情報提供システム１に蓄積された各種情報を会員ユーザ３は取得することができる（Ｓ１９）。また、スタッフ２３および専門家３３は、特集記事、ニュース、お知らせ、リンクやアンテナなどの外部サイト情報を登録および編集することができる（Ｓ２１）。
【００５４】
また、会員ユーザ３は、任意のグループを形成し、グループに参加した会員ユーザ３とコミュニケーションすることができる。たとえば、電子掲示板やチャットなどにより意見交換などを行うことができる。
【００５５】
このように、本実施形態の情報提供システム１において、葉たばこコミュニティサイト４０を通じて、葉たばこ耕作に関するスキルやノウハウ、所謂ナレッジが、会員ユーザ３、スタッフ２３、および専門家３３間を情報連鎖することによって、瞬時性と拡張性をもって拡大していくことができる。また、葉たばこ耕作に関する専門家３３などの最先端の技術をいち早く複数の会員ユーザ３に提供することができ、葉たばこ生産技術および生産性を向上させることができる。
【００５６】
図４は、本実施形態の情報提供システム１の構成を示す概略ブロック図である。本実施形態の情報提供システム１において、ＰＣ５または携帯端末７は、操作部６０と、表示部６２と、メモリ６４と、インタフェース部６６と、指示受付部６８と、認証要求部７０と、情報受付部７２と、アップロード部７４と、検索条件受付部７６と、送信部７８と、ダウンロード部８０と、表示制御部８２と、を含む。
【００５７】
なお、ここでは、ＰＣ５および携帯端末７について説明するが、ＰＣ２５、携帯端末２７、ＰＣ３５および携帯端末３７についても同様であるので、詳細な説明は省略する。なお、ＰＣ５、ＰＣ２５、ＰＣ３５に対してブログサーバ１９、携帯端末７、携帯端末２７、携帯端末３７に対してモブログサーバ２１がそれぞれ対応するものとする。以下の説明において、ＰＣ５およびブログサーバ１９についてのみ記載されている個所は、携帯端末７およびモブログサーバ２１にそれぞれ読み替えることが可能である。
【００５８】
管理サーバ１５は、インタフェース部８４と、ユーザ情報記憶部（図中、「ユーザ情報」と示す）８６と、認証部８８と、情報受信部９０と、第１転送部９２と、検索条件受信部９４と、検索部９６と、第２転送部９８と、を含む。
【００５９】
なお、情報提供システム１のＰＣ５、携帯端末７、管理サーバ１５の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００６０】
ＰＣ５および携帯端末７は、図示されない制御部を含む。制御部は、メモリ６４に格納されているプログラムを実行することによって、各装置の各要素とともに自装置全体を制御する。また、管理サーバ１５は、図示されない制御部、メモリ、操作部、および表示部を含む。制御部は、メモリに格納されているプログラムを実行することによって、管理サーバ１５の各要素とともに装置全体を制御する。
【００６１】
はじめに、ＰＣ５または携帯端末７について説明する。操作部６０は、会員ユーザ３からの操作指示、入力などを受け付けるものである。操作部６０は、たとえば、ＰＣ５の場合、キーボード、マウス、タッチパネル、トラックボールなどであり、携帯端末７の場合、操作キー、操作ボタン、スイッチなどである。表示部６２は、たとえば、液晶ディスプレイ、プラズマディスプレイ、ＣＲＴモニタである。
【００６２】
メモリ６４は、制御部が実行するプログラムを格納するとともに、プログラム実行に必要なデータ、操作部６０または各種入力手段（たとえば、原稿読取手段、記録媒体読取手段、赤外線通信手段など）から入力された情報やインタフェース部６６を介してダウンロードされた情報などと記憶する領域と、プログラム実行時の作業領域と、を含む。
【００６３】
インタフェース部６６は、インターネット９上の各装置と通信を行う。インターネット９への接続は、無線および有線のいずれでもよい。
【００６４】
指示受付部６８は、本実施形態の葉たばこコミュニティサイト４０へのログイン要求またはログアウト要求を受け付ける。図５は、本実施形態の情報提供システム１におけるログイン画面の一例を示す図である。葉たばこコミュニティサイト４０へのログイン用の所定のＵＲＬアドレスを会員ユーザ３がＰＣ５または携帯端末７を用いてブラウザのアドレス欄に入力して指定すると、ログイン画面１８０がＰＣ５または携帯端末７の表示部６２に表示される。
【００６５】
ログイン画面１８０は、ユーザＩＤ入力欄１８２と、パスワード入力欄１８４と、ログインボタン１８６と、を含む。会員ユーザ３が操作部６０を操作して、ユーザＩＤ入力欄１８２およびパスワード入力欄１８４にユーザＩＤおよびパスワードをそれぞれ入力し、ログインボタン１８６を押下すると、ユーザＩＤ入力欄１８２およびパスワード入力欄１８４に入力されたユーザＩＤおよびパスワードを指示受付部６８が受け付ける。指示受付部６８が受け付けたユーザＩＤおよびパスワードは認証要求部７０に通知される。
【００６６】
管理サーバ１５において認証部８８がユーザ認証を行い、認証された会員ユーザ３は葉たばこコミュニティサイト４０にログインすることができる。認証部８８が会員ユーザ３を認証した後、上述したように、ＰＣ５では、図３のポータルページ４２が表示部６２に表示され、さらにログイン中の会員ユーザ３のユーザ名を管理メニュー１５１に表示する。
【００６７】
図４に戻り、認証要求部７０は、指示受付部６８が受け付けた会員ユーザＩＤおよびパスワードをインタフェース部６６を介して管理サーバ１５に送信する。管理サーバ１５において、ログイン手続きが終了すると、ＰＣ５では図３のポータルページ４２が表示部６２に表示されることとなる。また、上述の図３のポータルページ４２において、ログアウトボタン１５９を会員ユーザ３が押下したとき、指示受付部６８はログアウト指示を受け付け、認証要求部７０はインタフェース部６６を介して管理サーバ１５にログアウト指示を通知する。管理サーバ１５において、ＰＣ５からのログアウト指示を受けて、ログアウト処理を行う。
【００６８】
情報受付部７２は、会員ユーザ３が操作部６０を介して入力したアップロード指示を受け付け、アップロード部７４にアップロード指示を行う。アップロード指示は、たとえば、アップロードするコンテンツの格納フォルダ名およびファイル名や、ブログの記事、コメント、掲示板への書き込みなどを含むことができる。アップロード部７４は、情報受付部７２からのアップロード指示に従って、コンテンツやブログの記事、コメント、掲示板への書き込みなどをインタフェース部６６を介してインターネット９上の管理サーバ１５にアップロードする。後述するように、管理サーバ１５では、アップロードされた各種データをＮＡＳ１７、ブログサーバ１９、またはモブログサーバ２１に転送し、格納させる。
【００６９】
検索条件受付部７６は、情報提供システム１の各種情報を検索するための検索条件を受け付ける。検索条件受付部７６は、会員ユーザ３が操作部６０を介して入力した検索条件を受け付け、送信部７８に受け渡す。検索条件は、検索対象によっても異なるが、たとえば、ブログ記事やコメントの検索の場合、フリーキーワード、あるいは、複数のキーワードの論理和または論理積などによって検索することができる。
【００７０】
送信部７８は、検索条件受付部７６から受けとった検索条件をインタフェース部６６を介して管理サーバ１５に送信する。ダウンロード部８０は、インタフェース部６６を介して管理サーバ１５から転送された情報やコンテンツをダウンロードし、メモリ６４に格納するとともに、表示制御部８２に表示指示を行う。表示制御部８２は、ダウンロード部８０からの表示指示に従って、表示部６２にダウンロードされた情報やコンテンツを表示する。
【００７１】
次に、管理サーバ１５について説明する。インタフェース部８４は、インターネット９上の各装置と通信を行う。インターネット９への接続は、無線および有線のいずれでもよい。
【００７２】
ユーザ情報記憶部８６は、葉たばこコミュニティサイト４０の会員ユーザ３の会員ユーザＩＤおよびパスワードが対応付けて記憶されている。認証部８８は、インタフェース部８４を介してＰＣ５または携帯端末７からのログイン要求またはログアウト要求を受け付け、認証処理を行う。ログイン要求時には、ＰＣ５または携帯端末７から送信された会員ユーザＩＤおよびパスワードと、ユーザ情報記憶部８６に記憶されている会員ユーザＩＤおよびパスワードの照会を行い、ユーザ認証処理を行う。
【００７３】
情報受信部９０は、インタフェース部８４を介してＰＣ５または携帯端末７からアップロードされたコンテンツまたは情報を受信する。受信したコンテンツまたは情報は一時的に受信バッファ（不図示）に格納される。第１転送部９２は、情報受信部９０の受信バッファに一時的に格納されたコンテンツまたは情報をＮＡＳ１７、ブログサーバ１９またはモブログサーバ２１のうち該当する装置にインタフェース部８４を介して転送する。
【００７４】
検索条件受信部９４は、インタフェース部８４を介してＰＣ５または携帯端末７から送信された検索条件を受信し、検索部９６に受け渡す。検索部９６は、検索条件受信部９４から受け取った検索条件で、該当する検索対象の装置、たとえば、ブログ記事検索の場合、ブログサーバ１９を、葉たばこ病害虫に関する情報検索の場合は、ＮＡＳ１７を検索対象として、検索を行う。検索部９６は得られた検索結果を送信バッファ（不図示）に一時的に格納する。第２転送部９８は、検索部９６の送信バッファに格納された検索結果を該当するＰＣ５または携帯端末７に対してインタフェース部８４を介して転送する。
【００７５】
このように構成された本実施形態の情報提供システム１の機能について、以下に説明する。
【００７６】
（１）ブログ機能
本実施形態の情報提供システム１は、会員ユーザ３毎にウェブログを作成する機能を有する。ここでは、会員ユーザ３のウェブログについて説明するが、スタッフ２３および専門家３３も同様であり、詳細な説明は省略する。本実施形態において、葉たばこ耕作農家の会員ユーザ３は、たとえば、ウェブログに葉たばこ耕作の作業日誌を記録することができる。
【００７７】
図６は、本実施形態の情報提供システム１におけるウェブログのマイページの一例を示す図である。図７は、本実施形態の情報提供システム１の記事編集投稿機能を実現するための構成を示す機能ブロック図である。図８は、本実施形態の記事編集ページ２８０の一例を示す図である。以下の説明において、図３および図４も用いて説明する。
【００７８】
本実施形態の端末装置（ＰＣ５または携帯端末７）は、記事を編集する編集部１６０と、ウェブログサイト管理サーバ（ブログサーバ１９またはモブログサーバ２１）にネットワーク（インターネット９）を介してアクセスし、ウェブロブサイトに、記事を投稿する投稿部１６４と、ウェブログサイトを閲覧する閲覧部１６６と、記事にコメントを送信するコメント送信部（不図示）と、他の記事へのトラックバックを形成するトラックバック部（不図示）と、を含む。
【００７９】
また、本実施形態の情報提供システム１において、ウェブログサイトに投稿される記事は、耕作の作業日誌を含み、ウェブログサイト管理サーバ（ブログサーバ１９、モブログサーバ２１）は、会員ユーザ３の端末装置（ＰＣ５、携帯端末７）から記事に耕作の作業項目を関連付ける指示を受け付ける登録項目受付部（登録項目受信部１７４）と、登録項目受付部（登録項目受信部１７４）が受け付けた作業項目を記事に関連付けて登録する登録部１７６と、会員ユーザ３の端末装置から記事を絞り込む作業項目を受け付ける絞込項目受付部（閲覧要求受信部１９０）と、絞込項目受付部が受け付けた作業項目に関連付けられた記事を絞り込み、会員ユーザの端末装置で閲覧可能に提供する提供部（抽出部１９２、記事送信部１９４）と、を含む。
【００８０】
図７に示すように、ＰＣ５または携帯端末７は、図４の構成に加え、編集部１６０と、登録項目受付部１６２と、投稿部１６４と、閲覧部１６６と、を含む。また、ブログサーバ１９またはモブログサーバ２１は、インタフェース部１７０と、記事受信部１７２と、登録項目受信部１７４と、登録部１７６と、記事記憶部１７８と、を含む。
【００８１】
ＰＣ５または携帯端末７において、編集部１６０は、会員ユーザ３が記事を編集するための記事編集ページ２８０（図８）への操作を受け付け、操作を一時的にメモリ６４に記憶し、投稿部１６４に投稿を指示する。図８の記事編集ページ２８０については後述する。登録項目受付部１６２は、記事編集ページ２８０で指定された登録作業項目を受け付け、記事と関連付ける。
【００８２】
投稿部１６４は、編集部１６０で編集された記事と、登録項目受付部１６２が受け付けた登録作業項目を対応付けて、ブログサーバ１９またはモブログサーバ２１に投稿する。投稿された記事は、アップロード部７４およびインタフェース部６６を介してブログサーバ１９またはモブログサーバ２１に送信される。
【００８３】
ブログサーバ１９およびモブログサーバ２１において、インタフェース部１７０は、インターネット９を介してＰＣ５および携帯端末７とそれぞれ通信を行うものである。記事受信部１７２は、ＰＣ５または携帯端末７から投稿された記事をインタフェース部１７０を介して受信する。登録項目受信部１７４は、ＰＣ５または携帯端末７から送信された登録作業項目を受信する。登録部１７６は、記事受信部１７２が受信した記事に、登録項目受信部１７４が受信した登録作業項目を対応付けて、記事を会員ユーザ３毎に記憶する。記事は、投稿日時、カテゴリなどの情報とともに記憶される。
【００８４】
閲覧要求受信部１９０は、ＰＣ５または携帯端末７からの記事の閲覧要求をインタフェース部１７０を介して受信する。閲覧要求には、会員ユーザ３の識別情報、記事の投稿日時を特定できる日付情報、記事のカテゴリなどを含む。抽出部１９２は、閲覧要求に応じて、記事記憶部１７８から対応する記事を抽出する。記事送信部１９４は、抽出部１９２が抽出した記事をインタフェース部１７０を介してＰＣ５または携帯端末７に送信する。たとえば、抽出部１９２が任意の会員ユーザ３の任意の月の、任意のカテゴリの記事を抽出し、記事送信部１９４が抽出された記事を送信する。
【００８５】
図６に示すように、マイページ２００は、プロフィール欄２０１と、投稿された記事２０３と、カレンダー２０９と、記事のカテゴリ２１１と、マイページ検索２１３と、リンクサイト一覧２１９と、アクセス数２２１と、天気情報２２３と、を含む。マイページとは、会員ユーザ３毎に設けられたウェブログページである。図３のポータルページ４２のマイページボタン１５５の押下に呼応してマイページ２００がＰＣ５または携帯端末７の表示部６２に画面表示される。
【００８６】
プロフィール欄２０１は、会員ユーザ３のニックネーム２３０、任意の画像２３２、氏名２３４、所属組合２３６、たばこ種類２３８、契約面積２４０、および自己紹介２４２を含む。
【００８７】
ブログサーバ１９は、会員ユーザ３のプロフィールとして、ニックネーム、任意の画像、氏名、ブログタイトル、所属組合、たばこ種類、契約面積、自己紹介文を受け付けるプロフィール受付部（不図示）と、受け付けたプロフィールを記憶するプロフィール記憶部（不図示）と、を含む。プロフィール欄２０１の情報は、すなわちプロフィール記憶部に記憶されているプロフィールは、図３の設定ボタン１５７の押下によって表示されるプロフィール編集ページ（不図示）で編集することが可能である。
【００８８】
所属組合２３６、たばこ種類２３８、および契約面積２４０は、会員ユーザ３が他の会員ユーザ３を検索するとき（「仲間検索」と呼ぶ）のキーとなるので、予め準備されたプルダウンリストやラジオボタンリストの中から選択設定させるのが好ましい。仲間検索については、後述する。
【００８９】
記事２０３は、マイページ２００を最初に表示した時は、新着記事から所定日数分の記事が表示される。以前の記事への移動ボタン２０５および以後の記事への移動ボタン２０７で、それぞれ以前および以後の記事が所定日数分ずつ表示される。
【００９０】
各記事２０３は、日付毎に少なくとも１つの記事を含み、同日に複数の記事を投稿した場合は、新着順に連続して表示される。記事２０３は、タイトル２５０、本文２５２、リンク２５４、画像２５６、コメント数およびリンク２５８、関連記事数およびリンク２６０、および関連記事作成リンク２６２を含む。
【００９１】
タイトル２５０には、記事のカテゴリや作業項目を含むこともできる。コメント数およびリンク２５８は、その記事２０３に投稿されたコメント数を示すとともに、コメント入力欄へのリンクとなっている。コメント数およびリンク２５８を操作部６０を用いて押下すると、投稿されたコメントおよび投稿コメント編集欄を含むコメント閲覧投稿画面（不図示）が表示部６２に表示され、コメントを閲覧および投稿することができる。
【００９２】
たとえば、会員ユーザＡの記事２０３に投稿されたコメントには、そのコメントを投稿した他の会員ユーザＢのニックネームやマイページのタイトルなどが表示され、これらはその会員ユーザＢのマイページへのリンクも兼ねている。これにより、会員ユーザＡは、そのコメントを投稿した会員ユーザＢのマイページに簡単に移動して、会員ユーザＢの記事２０３を閲覧することができる。
【００９３】
関連記事作成リンク２６２は、所謂トラックバック機能であり、会員ユーザＡの記事２０３にトラックバックする記事を他の会員ユーザＣが作成することができる。このようにして作成された関連記事は関連記事数およびリンク２６０欄にその記事の数が表示される。関連記事数およびリンク２６０は、このようにして作成された関連記事一覧へのリンクも兼ねている。
【００９４】
記事２０３の作成は、図３の記事編集ボタン１５３を会員ユーザ３が押下することにより、行うことができる。記事編集ボタン１５３の押下を操作部６０が受け付けると、編集部１６０がダウンロード部８０を介してブログサーバ１９またはモブログサーバ２１にアクセスし、図８の記事編集ページ２８０をダウンロードする。ダウンロードされた記事編集ページ２８０を編集部１６０が表示部６２に表示させて、会員ユーザ３に編集作業を行わせる。
【００９５】
図８に示すように、記事編集ページ２８０は、投稿日時欄２８１、時刻ボタン２８２、カテゴリ選択リスト２８３、タイトル入力欄２８４、作業項目選択リスト２８５、記事保存ボタン２８６、記事公開ボタン２８７、公開方法選択チェックボックス２８８、および記事編集欄２９０を含む。
【００９６】
投稿日時欄２８１は、記事の投稿日時を会員ユーザ３が入力する欄である。時刻ボタン２８２を押下すると、現在時刻が投稿日時欄２８１に自動的に入力されるようになっている。カテゴリ選択リスト２８３は、会員ユーザ３が選択するカテゴリがプルダウンリストで表示され、会員ユーザ３はリストの中から投稿する記事のカテゴリを決定し選択する。タイトル入力欄２８４は、記事のタイトルを会員ユーザ３が入力するテキストボックスである。
【００９７】
記事編集欄２９０は、会員ユーザ３が記事の本文を編集する欄である。記事編集欄２９０は、編集操作ボタン２９２、本文入力欄２９３、添付画像指定欄２９４、参照ボタン２９５、添付画像２９６、および画像削除ボタン２９７、を含む。編集操作ボタン２９２は、本文入力欄２９３に入力された本文のフォントを太字にしたり、斜体にしたり、下線を引くなどの操作を行うためのボタンや、本文入力欄２９３に入力された本文の文字列にリンクを張ったり、本文中に絵文字を入力するためのボタンを含む。
【００９８】
本文入力欄２９３は、本文を会員ユーザ３が入力ためのテキストボックスである。添付画像指定欄２９４は、記事に添付する画像を会員ユーザ３が指定する欄である。参照ボタン２９５を会員ユーザ３が押下すると、ＰＣ５または携帯端末７のフォルダ構成が表示され、会員ユーザ３は、フォルダ構成を参照しながら任意のフォルダ内の任意のファイルが選択できるようになっている。添付画像２９６は、添付画像指定欄２９４で指定された画像ファイルが表示される。画像削除ボタン２９７は、添付画像指定欄２９４で指定した画像の選択を解除する。本実施形態において、画像ファイルは記事の一段落に対して一画像を指定する構成としているが、これに限定されず、複数の画像ファイルを指定することもできる。作業日誌として記録される記事の場合、画像によって葉たばこの成長観察記録などを視覚的に記録することも可能となる。また、他の実施形態において、画像のみでなく、動画、音声ファイルなどを指定することもできる。追加ボタン２９８は、本文に段落を追加し、記事を分ける場合に会員ユーザ３が押下するボタンである。
【００９９】
作業項目選択リスト２８５は、葉たばこ耕作の作業日誌を作成する場合に登録する作業項目のプルダウン作業項目を会員ユーザ３が選択するためのリスト表示を行う。作業項目選択リスト２８５には、たとえば、葉たばこの作業項目として、「種まき／植え替え／うね作り／移植／土寄せ／心止／収穫／乾燥／残幹処理／梱包／出荷／深耕」などを含むことができる。このように記事毎に作業項目を登録することにより、後述するカレンダー一覧表示や２年誌表示などで記事を閲覧する場合に、作業項目別に比較して記事を閲覧することができ、特定の作業を実施した日の記事を探しやすくなる。また、作業項目は、マークなどの画像や色分けにより区別し、さらに識別しやすくすることもできる。
【０１００】
本実施形態では、作業項目は一記事に対して一項目を登録する構成としたが、これに限定されない。一記事に対して複数の項目を登録する構成とすることもできる。また、本実施形態では、カレンダー一覧表示や２年誌表示でのみ作業項目による記事の絞り込みを行う構成としたが、これに限定されない。マイページ２００における作業項目による記事の絞り込みや、後述する仲間検索における作業項目による絞り込みを行う構成とすることもできる。
【０１０１】
記事保存ボタン２８６は、記事編集欄２９０で編集された記事を下書きとして記事記憶部１７８に記憶するときに、押下する。記事公開ボタン２８７は、記事編集欄２９０で編集された記事を公開するときに押下する。同時に記事記憶部１７８に記事が記憶される。このとき、記事の本文に加え、記事を投稿した会員ユーザ３の識別情報、稿日時、カテゴリ、タイトルが関連付けられる。
【０１０２】
公開方法選択チェックボックス２８８は、記事編集ページ２８０で編集した記事を公開する際、葉たばこコミュニティサイト４０のポータルページ４２の新着記事１１９に記事を公開するか否かを選択する。
【０１０３】
記事編集ページ２８０によって編集された記事は、メモリ６４に一時的に保存され、記事編集ページ２８０の記事保存ボタン２８６または記事公開ボタン２８７の押下に呼応して投稿部１６４がブログサーバ１９またはモブログサーバ２１に投稿する。
【０１０４】
ＰＣ５からアップロードされた記事２０３は、管理サーバ１５において、情報受信部９０が一旦受信する。そして、第１転送部９２がブログサーバ１９に転送する。このようにして、会員ユーザ３が作成した記事２０３はブログサーバ１９にアップロードされて、葉たばこコミュニティサイト４０に登録されている複数の会員ユーザ３やスタッフ２３、および専門家３３が閲覧可能に公開されることとなる。
【０１０５】
図６に戻り、カレンダー２０９は、現在の月のカレンダーに記事を投稿した日付部分に該当する記事へのリンクが挿入されている。また、過去の記事が存在する年月へのリンクも挿入されている。記事のカテゴリ２１１は、ブログ毎に会員ユーザ３が任意の設定した記事２０３のカテゴリの一覧である。括弧内はカテゴリに含まれる記事２０３の数を示している。マイページ検索２１３は、検索キー入力欄２１５に入力されたキーワードを検索条件として、検索ボタン２１７が押下された時、検索を行う。
【０１０６】
詳細には、検索キー入力欄２１５に入力されたキーワードを図４の検索条件受付部７６が受け付け、検索ボタン２１７の押下に呼応して、送信部７８が検索条件として検索キー入力欄２１５に入力されたキーワードを管理サーバ１５に送信する。そして、管理サーバ１５において、検索条件受信部９４が検索条件を受信し、検索部９６が検索条件に従ってブログサーバ１９にアクセスし、マイページ内に含まれる記事の中から該当する記事２０３を抽出し、第２転送部９８がＰＣ５に転送する。ＰＣ５では、ダウンロード部８０が検索結果をダウンロードし、表示制御部８２が表示部６２に検索された記事２０３を含むマイページを表示させる。
【０１０７】
図６に戻り、リンクサイト一覧２１９は、会員ユーザ３が任意に設定したリンクサイトの一覧である。あるいは、システム共通で提供される一覧とすることもできる。アクセス数２２１は、マイページへのアクセス数が、昨日と、本日と、現在までの総数と、がカウントされ表示される。具体的には、管理サーバ１５に図示されないカウンタを設置し、その値をマイページに表示する。
【０１０８】
天気情報２２３は、会員ユーザ３が設定した地域の天気情報を表示する。具体的には、管理サーバ１５が地域ごとの天気情報を取得する天気情報取得部（不図示）と、取得した天気情報を記憶する天気情報記憶部（不図示）を有し、該当する地域の天気情報を読み出してマイページに表示させる。天気情報２２３は、その日の天気または天気予報、予想または実際の最高気温および予想または実際の最低気温などを含む。
【０１０９】
（２）カレンダー（作業日誌）機能
本実施形態の情報提供システム１は、ブログ機能を用いて投稿された記事に作業項目を対応付けて登録し、カレンダー形式で一覧表示させる機能を有する。カレンダー表示は、２種類あり、月毎のカレンダー表示と、複数年、ここでは２年誌カレンダー表示と、を含む。図９は、本実施形態の情報提供システム１における一覧カレンダー表示画面４００の一例を示す図である。図１０は、本実施形態の情報提供システム１における２年誌表示画面４３０の一例を示す図である。図１１は、本実施形態の情報提供システム１におけるカレンダー機能を実現するための構成を示す機能ブロック図である。
【０１１０】
本実施形態の情報提供システム１において、ウェブログサイト管理サーバ（ブログサーバ１９またはモブログサーバ２１）は、端末装置（ＰＣ５または携帯端末７）から投稿された記事を、当該記事の投稿日時に対応付けて会員ユーザ３毎に記憶する記事記憶部１７８と、会員ユーザ３毎に、記事の投稿日時に対応する日付に記事のタイトルを提示する所定期間のカレンダーを作成するカレンダー作成部４７２と、を含み、端末装置は、カレンダーを閲覧する会員ユーザの指定を受け付ける閲覧指示受付部（期間受付部４６０および作業項目絞込受付部４６２）と、ウェブログサイト管理サーバにアクセスし、閲覧指示受付部が受け付けた会員ユーザのカレンダーを閲覧するカレンダー閲覧部（カレンダー表示要求部４６４およびカレンダー表示部４６６）と、を含む。
【０１１１】
また、本実施形態の情報提供システム１は、ウェブログサイト管理サーバ（ブログサーバ１９またはモブログサーバ２１）は、絞込項目受付部（指示受付部４７０）が受け付けた作業項目に関連付けられた記事を絞り込み、カレンダー作成部にカレンダーを作成させる制御部（カレンダー作成部４７２）と、を含む。
【０１１２】
具体的には、ＰＣ５は、図４および図７の構成に加え、期間受付部４６０と、作業項目絞込受付部４６２と、カレンダー表示要求部４６４と、記事リンク操作受付部４６８と、を含む。また、ブログサーバ１９は、図７の構成に加え、指示受付部４７０と、カレンダー作成部４７２と、カレンダー記憶部４７４と、カレンダー送信部４７６と、を含む。
【０１１３】
ＰＣ５において、期間受付部４６０は、会員ユーザ３が操作部６０を用いて指定したカレンダー表示をさせる期間を受け付ける。作業項目絞込受付部４６２は、会員ユーザ３が操作部６０を用いて指定したカレンダー表示をさせる作業項目を受け付ける。カレンダー表示要求部４６４は、期間受付部４６０および作業項目絞込受付部４６２で指定された条件を含むカレンダー表示要求をインタフェース部６６を介してブログサーバ１９に送信する。カレンダー表示部４６６は、カレンダー表示要求部４６４の要求に従ってブログサーバ１９からダウンロード部８０がメモリ６４にダウンロードしたカレンダーを表示制御部８２に表示させる。
【０１１４】
記事リンク操作受付部４６８は、ダウンロードされたカレンダー表示に含まれる記事へのリンクの操作を受け付ける。受け付けた記事へのリンクは閲覧部１６６に通知され、閲覧部１６６は、ダウンロード部８０を介してブログサーバ１９に記事のダウンロードを要求し、ダウンロード部８０がダウンロードした記事を表示制御部８２に表示させる。
【０１１５】
ブログサーバ１９において、指示受付部４７０は、インタフェース部１７０を介してＰＣ５からのカレンダー表示要求を受信し、表示要求に含まれる指示を受け付ける。カレンダー作成部４７２は、指示受付部４７０が受け付けた指示に従って、カレンダーの作成を行う。
【０１１６】
図９では、２００６年８月の全てのカテゴリの一覧カレンダー表示の例を示している。図９に示すように、一覧カレンダー表示画面４００は、表示年月４０２、カテゴリ選択リスト４０４、表示ボタン４０６、月選択リンクボタン４０８、前年選択リンクボタン４１０、次年選択リンクボタン４１２、２年誌表示リンクボタン４１４、一覧カレンダー表示リンクボタン４１６、ブログ表示リンクボタン４１８、記事タイトル表示欄４２０、日付４２２、天気情報４２４、記事タイトルリンク４２６、および作業項目４２８を含む。
【０１１７】
表示年月４０２は、現在表示されている年月を示す。カテゴリ選択リスト４０４は、登録されているカテゴリをプルダウンリスト表示し、会員ユーザ３が表示したいカテゴリを選択することができる。カテゴリ選択リスト４０４で選択されたカテゴリの記事のみを表示したい場合、表示ボタン４０６を押下することで、選択されたカテゴリの記事のみを一覧カレンダー表示画面４００に表示させることができる。
【０１１８】
月選択リンクボタン４０８は、月毎のカレンダー表示ページへのリンクボタンであり、会員ユーザ３が表示する月のボタンを押下すると、選択された月のカレンダーが表示される。前年選択リンクボタン４１０は、前年のカレンダー表示ページへのリンクボタンであり、会員ユーザ３が前年選択リンクボタン４１０を押下すると、既に表示されている月の一年前のカレンダーが表示される。次年選択リンクボタン４１２は、次年のカレンダー表示ページへのリンクボタンであり、会員ユーザ３が次年選択リンクボタン４１２を押下すると、既に表示されている月の一年後のカレンダーが表示される。
【０１１９】
２年誌表示リンクボタン４１４は、後述する２年誌表示ページへのリンクボタンである。一覧カレンダー表示リンクボタン４１６は、一覧カレンダー表示ページ（図９の一覧カレンダー表示画面４００）へのリンクボタンである。一覧カレンダー表示リンクボタン４１６を押下して一番はじめに表示されるのは、当月のカレンダー表示である。ブログ表示リンクボタン４１８は、ブログページ（図６のマイページ２００）へのリンクボタンである。
【０１２０】
記事タイトル表示欄４２０は、一日毎に設けられ、その日を投稿日時として有する記事のタイトルを表示する。日付４２２と、天気情報４２４が表示される。天気情報４２４は、その日の天気または天気予報、予想または実際の最高気温および予想または実際の最低気温を示す。この天気情報は、上述した天気情報取得部が地域毎に天気情報を日ごとに取得し、天気情報記憶部に蓄積したものである。記事タイトルリンク４２６は、記事のタイトルを示し、さらに記事へのリンクボタンとなっている。会員ユーザ３が記事タイトルリンク４２６を押下すると、記事を閲覧することができる。作業項目４２８は、その記事に登録された作業項目を示す。作業項目が登録されていない場合は表示されない。
【０１２１】
このように、一覧カレンダー表示画面４００に作業日誌として記録された記事をカレンダー形式で一覧表示させ、さらに作業項目を登録できる構成としたので、特定の作業を実施した日が探し易くなる。また、一覧カレンダー表示画面４００をブラウザの印刷機能を用いて印刷することにより、そのままカレンダーとして予定やメモを記入するのに用いることもでき、利便性が良い。
【０１２２】
図１０では、２年誌表示の例を示している。図１０に示すように、２年誌表示画面４３０は、作業項目選択リスト４３２、表示ボタン４３４、年間表示リンクボタン４３６、月選択リンクボタン４３８、前年４４０、本年４４２、日付４４４、記事タイトル表示欄４４６、天気情報４４８、記事タイトルリンク４５０、作業項目４５２、およびスクロールバー４５４を含む。
【０１２３】
作業項目選択リスト４３２は、作業項目をプルダウンリスト表示し、会員ユーザ３が表示した作業項目を選択することができる。作業項目選択リスト４３２で選択された作業項目の記事のみを表示したい場合、表示ボタン４３４を押下することで、選択された作業項目のみを２年誌表示画面４３０に表示させることができる。
【０１２４】
年間表示リンクボタン４３６は、年間１２ヶ月の２年誌表示ページへのリンクボタンである。月選択リンクボタン４３８は、月単位の２年誌表示ページへのリンクボタンである。たとえば、８月を選択すると、当年２００６年の８月と、前年２００５年の８月の一覧が表示される。前年４４０は、前年の年号が表示され、本年４４２は、本年の年号が表示される。日付４４４は、日付が表示され、記事タイトル表示欄４４６は、一日毎に設けられ、その日を投稿日時として有する記事のタイトルを表示する。
【０１２５】
天気情報４４８は、その日の天気または天気予報、最高気温および最低気温を示す。記事タイトルリンク４５０は、記事のタイトルを示し、さらに記事へのリンクボタンとなっている。会員ユーザ３が記事タイトルリンク４５０を押下すると、記事を閲覧することができる。作業項目４５２は、その記事に登録された作業項目を示す。作業項目が登録されていない場合は表示されない。スクロールバー４５４により、表示する日付を移動させることができる。
【０１２６】
このように、２年誌表示により、例年の葉たばこ耕作の作業日程を確認することが可能となり、過去を振り返って参考にすることが可能となる。天気情報も作業日程には重要な要素であり、カレンダー表示にて、一目瞭然としたことで、より使い勝手も向上する。
【０１２７】
また、他の実施形態において、複数の会員ユーザ３によって投稿された複数の記事について、登録された作業項目と投稿日時を関連付けるとともに、会員ユーザ３のプロフィール情報から所在地を関連付け、所定の作業項目について、作業項目毎に同じ日に記事が投稿された所在地をつなぎ、日本地図上に表示させることにより、「作業前線」を提供することもできる。なお、単に、作業項目毎に、新着記事の日時と所在地を一覧表示するだけでも、会員ユーザ３は、日本全国の今どの辺りでどのような作業が行われているかを知る目安とすることもできる。
【０１２８】
（３）仲間検索機能
本実施形態の情報提供システム１は、複数の会員ユーザ３の中から所定の条件に合う会員ユーザを検索する機能を有する。
【０１２９】
図１２は、本実施形態の情報提供システム１の仲間検索条件入力画面３００の一例を示す図である。図３のポータルページ４２のメニュー１０１の「仲間を探す」を押下することにより、仲間検索条件入力画面３００がＰＣ５または携帯端末７の表示部６２に画面表示される。以下の説明において、図４も用いて説明する。
【０１３０】
本実施形態において、ウェブログサイト管理サーバ（管理サーバ１５）は、会員ユーザ３のプロフィールを端末装置（ＰＣ５）から受け付け、プロフィール記憶部（ブログサーバ１９）に登録するプロフィール受付部（不図示）と、会員ユーザ３から他の会員ユーザ３の検索条件を受け付け、検索条件に合う会員ユーザ３を検索する検索部（検索部９６）と、検索された会員ユーザ３のプロフィールを公開するプロフィール公開部（第２転送部９８）と、を含むことができる。
【０１３１】
ブログサーバ１９において、各会員ユーザ３のプロフィールと、各会員ユーザ３が投稿したブログまたはモブログの記事とは、各会員ユーザ３のユーザＩＤに関連付けて記憶することができる。これにより、下記の検索時に会員ユーザ３のブログまたはモブログの記事内のキーワードからも検索することができる。
【０１３２】
仲間検索条件入力画面３００は、ニックネーム入力欄３０２と、所属組合選択リスト欄３０４と、たばこ種類選択リスト欄３０６と、契約面積選択リスト欄３０８と、キーワード入力欄３１２と、検索ボタン３１４と、を含む。
【０１３３】
ニックネーム入力欄３０２は、検索したい会員ユーザ３のニックネームに含まれる文字を入力するための欄である。所属組合選択リスト欄３０４は、検索したい会員ユーザ３が所属する組合を選択するための欄である。所属組合選択リスト欄３０４を押下すると、プルダウンリストが表示され、登録されている所属組合のリストが表示されるので、その中から検索したい組合を選択して検索条件として指定することができる。
【０１３４】
たばこ種類選択リスト欄３０６は、検索したい会員ユーザ３が耕作しているたばこの種類を選択するための欄である。たばこ種類選択リスト欄３０６を押下すると、プルダウンリストが表示され、登録されているたばこの種類のリストが表示されるので、その中から検索したいたばこの種類を選択して検索条件として指定することができる。
【０１３５】
契約面積選択リスト欄３０８は、検索した会員ユーザ３の契約面積を選択するための欄である。契約面積選択リスト欄３０８を押下すると、契約面積選択リスト３１０がプルダウン表示され、登録されている契約面積のリストが表示されるので、その中から検索した契約面積を選択して検索条件として指定することができる。
【０１３６】
キーワード入力欄３１２は、検索条件として使用するフリーキーワードを入力するための欄である。検索ボタン３１４は、検索指示を受け付けるボタンである。検索条件受付部７６は、上述の検索条件の入力または選択指示を受け付けるとともに、検索ボタン３１４の押下を受け付け、送信部７８に通知する。送信部７８は、検索条件受付部７６が受け付けた検索条件を管理サーバ１５に送信する。
【０１３７】
管理サーバ１５では、検索条件受信部９４がＰＣ５から送信された検索条件を受信する。そして、検索部９６が受信した検索条件でブログサーバ１９を検索する。検索部９６は、検索条件に合った会員ユーザ３を抽出し、第２転送部９８に受け渡す。第２転送部９８は、検索された会員ユーザ３の情報をＰＣ５に検索結果として送信する。
【０１３８】
ＰＣ５では、ダウンロード部８０が検索結果をダウンロードし、表示制御部８２に受け渡し、表示部６２に表示させる。図１３は、本実施形態の情報提供システム１における検索結果画面３２０の一例を示す図である。検索結果画面３２０は、検索された会員ユーザ３毎に、画像３２２、ニックネーム３２４、ブログタイトル３２６、紹介文３２８、および最終更新日時３３０を含む。
【０１３９】
画像３２２、ニックネーム３２４、ブログタイトル３２６は、ともにその会員ユーザ３のマイページへのリンクも兼ねており、これらを押下することによって、その会員ユーザ３のマイページに移動することができる。
【０１４０】
このようにして、たとえば、会員ユーザＡは、自分と同じ種類のたばこを耕作している他の会員ユーザＤを検索し、会員ユーザＤのウェブログを閲覧することにより、新たな情報を収集することなどができる。そして、その会員ユーザＤの記事にコメントやトラックバックをすることにより、会員ユーザＤにも自分の存在を伝達することができ、これにより会員ユーザ３間の交流が行われることとなる。このようにして、会員ユーザ３同士の交流を盛んにすることができ、全国に多数点在している葉たばこ耕作農家間の交流および葉たばこ耕作農家の活性化を図ることができる。
【０１４１】
（４）情報閲覧および検索機能
本実施形態の情報提供システム１では、上述したように、葉たばこの病害虫図鑑などの病害虫診断防除情報、農薬使用基準情報、葉たばこ研究に関する文献、葉たばこ技術情報文献等の各種の情報がＮＡＳ１７に蓄積されている。これらのコンテンツおよび情報を検索し、閲覧できる機能を有する。これにより、葉たばこおよび葉たばこ耕作に関するナレッジを複数の会員ユーザ３間で共有することができ、各会員ユーザ３に葉たばこ生産技術を伝授でき、葉たばこの生産性を向上させることができる。
【０１４２】
図１４は、本実施形態の情報提供システム１の病害虫図鑑画面３４０の一例を示す図である。図３のポータルページ４２の図鑑リンク１３５を押下することにより、病害虫図鑑画面３４０がＰＣ５または携帯端末７の表示部６２に画面表示される。以下の説明において、図４も用いて説明する。
【０１４３】
病害虫図鑑画面３４０は、複数の記事３４２を含み、各記事３４２は、タイトル３４４、本文３４６、および画像３４８を含む。また、必要に応じて、さらに詳細な説明や、ＰＤＦファイルのダウンロードなどを行うためのリンクを含むこともできる。本実施形態では、たばこの病気の記事３４２の本文３４６には、たとえば、病気の発生時期、発生部位、発生要因、説明文などが含まれる。
【０１４４】
また、病害虫図鑑画面３４０は、フリーキーワード検索３５０および絞り込み検索３６０により情報を検索した結果得られた記事３４２のみを表示させることもできる。
【０１４５】
フリーキーワード検索３５０では、キーワード入力欄３５２に入力されたキーワードを図４の検索条件受付部７６が受け付け、検索ボタン３５４の押下に呼応して、送信部７８が検索条件としてキーワード入力欄３５２に入力されたキーワードを管理サーバ１５に送信する。
【０１４６】
そして、管理サーバ１５において、検索条件受信部９４が検索条件を受信し、検索部９６が検索条件に従って、ＮＡＳ１７を検索し、該当する記事３４２を抽出し、第２転送部９８がＰＣ５に転送する。ＰＣ５では、ダウンロード部８０が検索結果をダウンロードし、表示制御部８２が表示部６２に検索された記事３４２を含む病害虫図鑑画面３４０を表示させる。
【０１４７】
また、絞り込み検索３６０では、発生時期、発生部位、発生要因、および薬害の種類などの分類で、それぞれ絞り込みたい条件をラジオボタン３６２で選択することができる。ラジオボタン３６２の選択を検索条件受付部７６が受け付けると、送信部７８が選択された検索条件を管理サーバ１５に送信し、フリーキーワード検索３５０と同様にして管理サーバ１５がＮＡＳ１７を検索し、検索した結果得られた記事３４２が病害虫図鑑画面３４０に表示されることとなる。
【０１４８】
また、本実施形態において、図３のポータルページ４２の農薬使用基準リンク１３３を押下することにより、図１５の農薬使用基準画面３７０が表示部６２に表示される。
【０１４９】
農薬使用基準画面３７０は、農薬使用基準に関する複数の記事３７２を含み、各記事３７２は、タイトル３７４、本文３７６、およびリンク３７８を含む。リンク３７８は、詳細情報を記載しているページへのリンクや、ＰＤＦファイル、その他の文書ファイルのダウンロードを行うためのリンクである。
【０１５０】
（５）グループ形成機能
本実施形態の情報提供システム１は、会員ユーザ３が任意の目的で結成するグループの形成をサポートする機能を有する。たとえば、任意の種類の葉たばこを生産している農家の会員ユーザ３が参加可能なグループを形成し、そこで電子掲示板やチャットにて自由に発言し、意見を交換できる場が提供される。
【０１５１】
具体的には、情報提供システム１は、さらに電子掲示板の提供を行う掲示板サーバ（不図示）やチャットシステムを提供するＩＲＣ（Internet Relay Chat）サーバ（不図示）などを含むことができる。図３のポータルページ４２に、会員ユーザ３からのグループ形成の申請を受け付けるメニューを設け、管理サーバ１５が申請を受け付け、掲示板サーバやＩＲＣサーバが会員ユーザ３に掲示板やチャットサービスの提供を行う。図３のポータルページ４２に、グループへの参加申請を受け付けるメニューも設け、管理サーバ１５が参加申請を受け付け、各サーバに参加会員ユーザ３を通知し、会員ユーザ３へのサービスの提供を行う。
【０１５２】
以上説明したように、本発明の実施の形態の情報提供システム１によれば、コミュニティサイトを介して、全国に点在する多数の葉たばこ耕作農家の会員ユーザから発信される各種の情報を蓄積するとともに、コミュニティサイトを拠点として全国に点在する多数の葉たばこ耕作農家の会員ユーザに、蓄積された情報を瞬時に提供でき、会員ユーザ間で共有することが可能となり、会員ユーザ間の連携および情報交換を活性化でき、葉たばこの生産技術および生産性を向上させることができる。
【０１５３】
以上、図面を参照して本発明の実施形態について述べたが、これらは本発明の例示であり、上記以外の様々な構成を採用することもできる。
【０１５４】
たとえば、上記実施形態では、葉たばこ耕作に関する情報提供システムについて、言及したが、これに限定されない。他の耕作物についても、同様に情報提供システムを適用することが可能である。特に、稲、トウモロコシなどの穀物（単子葉植物）などの耕作について、同様に情報提供システムを適用するのが好ましい。
【０１５５】
また、ＮＡＳ１７に蓄積されている耕作に関するコンテンツおよび情報として、葉たばこの葉の成分に関する情報や穀物の種子の成分に関する情報などを含むこともできる。さらに、光（日照条件）、土壌（土地）の成分、環境、栄養などや、水の水質などに関する情報などを含むこともできる。
【図面の簡単な説明】
【０１５６】
【図１】本発明の実施の形態に係る情報提供システムの構成を示す概略ブロック図である。
【図２】本実施形態の情報提供システムが提供する「葉たばこコミュニティサイト」の概要を説明するための図である。
【図３】本実施形態の情報提供システムが提供するコミュニティサイトのポータルページの一例を示す図である。
【図４】本実施形態の情報提供システムの構成を示す概略ブロック図である。
【図５】本実施形態の情報提供システムにおけるログイン画面の一例を示す図である。
【図６】本実施形態の情報提供システムにおけるウェブログのマイページの一例を示す図である。
【図７】本実施形態の情報提供システムの記事編集投稿機能を実現するための構成を示す機能ブロック図である。
【図８】本実施形態の記事編集ページの一例を示す図である。
【図９】本実施形態の情報提供システムにおける一覧カレンダー表示画面の一例を示す図である。
【図１０】本実施形態の情報提供システムにおける２年誌表示画面の一例を示す図である。
【図１１】本実施形態の情報提供システムにおけるカレンダー機能を実現するための構成を示す機能ブロック図である。
【図１２】本実施形態の情報提供システムの仲間検索条件入力画面の一例を示す図である。
【図１３】本実施形態の情報提供システムにおける検索結果画面の一例を示す図である。
【図１４】本実施形態の情報提供システムの病害虫図鑑画面の一例を示す図である。
【図１５】本実施形態の情報提供システムの農薬使用基準画面の一例を示す図である。
【符号の説明】
【０１５７】
１  情報提供システム
３  会員ユーザ
５  ＰＣ
７  携帯端末
９  インターネット
１１  ファイアウォール
１３  ネットワーク
１５  管理サーバ
１７  ＮＡＳ
１９  ブログサーバ
２１  モブログサーバ
２３  スタッフ
２５  ＰＣ
２７  携帯端末
３３  専門家
３５  ＰＣ
３７  携帯端末
４０  コミュニティサイト
４２  ポータルページ
５０  会員ブログ
５２  スタッフブログ
５４  専門家ブログ
６０  操作部
６２  表示部
６４  メモリ
６６  インタフェース部
６８  指示受付部
７０  認証要求部
７２  情報受付部
７４  アップロード部
７６  検索条件受付部
７８  送信部
８０  ダウンロード部
８２  表示制御部
８４  インタフェース部
８６  ユーザ情報記憶部
８８  認証部
９０  情報受信部
９２  第１転送部
９４  検索条件受信部
９６  検索部
９８  第２転送部
１０１  メニュー
１０３  中央情報発信ページ
１０５  関連ページリンク
１０７  地方情報発信ページ
１１０  お知らせ履歴表示
１１１  オススメページ
１１３  記事検索
１１９  新着記事
１２７  お気に入りランキング
１２９  アクセスランキング
１３１  耕作のための便利情報
１３３  農薬使用基準リンク
１３７  文献データベース
１３９  たばこ新聞記事データベース
１４１  葉たばこ研究データベース
１５１  管理メニュー
１６０  編集部
１６２  登録項目受付部
１６４  投稿部
１６６  閲覧部
１７０  インタフェース部
１７２  記事受信部
１７４  登録項目受信部
１７６  登録部
１７８  記事記憶部
１８０  ログイン画面
１９０  閲覧要求受信部
１９２  抽出部
１９４  記事送信部
２００  マイページ
２０１  プロフィール欄
２０３  記事
２０９  カレンダー
２１１  カテゴリ
２１３  マイページ検索
２１９  リンクサイト一覧
２２１  アクセス数
２２３  天気情報
２５０  タイトル
２８０  記事編集ページ
２８１  投稿日時欄
２８３  カテゴリ選択リスト
２８４  タイトル入力欄
２８５  作業項目選択リスト
２８７  記事公開ボタン
２９０  記事編集欄
２９６  添付画像
３００  仲間検索条件入力画面
３２０  検索結果画面
３４０  病害虫図鑑画面
３５０  フリーキーワード検索
３７０  農薬使用基準画面
４００  一覧カレンダー表示画面
４０４  カテゴリ選択リスト
４２０  記事タイトル表示欄
４２２  日付
４２４  天気情報
４２６  記事タイトルリンク
４２８  作業項目
４３０  ２年誌表示画面
４３２  作業項目選択リスト
４４４  日付
４４６  記事タイトル表示欄
４４８  天気情報
４５０  記事タイトルリンク
４５２  作業項目
４６０  期間受付部
４６２  作業項目絞込受付部
４６４  カレンダー表示要求部
４６６  カレンダー表示部
４６８  記事リンク操作受付部
４７０  指示受付部
４７２  カレンダー作成部
４７４  カレンダー記憶部
４７６  カレンダー送信部
【図１】
2008084256.tif 000003
【図２】
2008084256.tif 000004
【図３】
2008084256.tif 000005
【図４】
2008084256.tif 000006
【図５】
2008084256.tif 000007
【図６】
2008084256.tif 000008
【図７】
2008084256.tif 000009
【図８】
2008084256.tif 000010
【図９】
2008084256.tif 000011
【図１０】
2008084256.tif 000012
【図１１】
2008084256.tif 000013
【図１２】
2008084256.tif 000014
【図１３】
2008084256.tif 000015
【図１４】
2008084256.tif 000016
【図１５】
2008084256.tif 000017